(57)【要約】【課題】特段の機器を必要とすることなく、複数の会議室等で同じ投射画像を共有することができる。【解決手段】画像および／または音のデータを入力するデータ入力部１１、１５と、入力したデータを出力するデータ出力部１４、１８、１９、２０と、出力される前のデータをキャプチャーし、複数のサブプロジェクター３に対して転送するデータ転送部２２、２４と、を備え、データ出力部１４、１８、１９、２０は、データ転送部２２、２４によりデータを転送した後、データ入力部１１、１５から入力された当該データを出力する。【選択図】図１
2011205523.tif 000002
【特許請求の範囲】
【請求項１】
画像および／または音のデータを入力するデータ入力部と、
入力した前記データを出力するデータ出力部と、
前記データ出力部により出力される前の前記データをキャプチャーし、１以上の他のプ
ロジェクターに対して転送するデータ転送部と、を備えるプロジェクターであって、
前記データ出力部は、前記データ転送部により前記データを転送した後、前記データ入
力部から入力された当該データを出力することを特徴とするプロジェクター。
【請求項２】
入力された前記データを一時記憶する一時記憶部を、更に備え、
前記データ出力部は、前記一時記憶部に記憶された前記データを、所定の時間だけ遅ら
せて出力することを特徴とする請求項１に記載にプロジェクター。
【請求項３】
前記１以上の他のプロジェクターは、前記プロジェクターからの前記データの受信に連
動して、当該データを投射することを特徴とする請求項１または２に記載にプロジェクタ
ー。
【請求項４】
前記データ転送部によるデータの転送の要否を切り替えるための転送切替部を、更に備
えたことを特徴とする請求項１ないし３のいずれか記載にプロジェクター。
【請求項５】
前記データ入力部は、前記データをアナログ信号によって入力するアナログ信号入力部
と、前記データをデジタル信号によって入力するデジタル信号入力部と、を含み、
アナログ信号によって入力されたデータを、デジタル信号に変換するデジタル変換部を
、更に備えたことを特徴とする請求項１ないし４のいずれかに記載のプロジェクター。
【請求項６】
前記データ転送部による前記データの転送前に、当該データを圧縮するデータ圧縮部を
、更に備えたことを特徴とする請求項１ないし５のいずれかに記載のプロジェクター。
【請求項７】
第１のプロジェクターと、１以上の第２のプロジェクターと、が接続されたプロジェク
ターシステムであって、
前記第１のプロジェクターは、
画像および／または音のデータを入力するデータ入力部と、
入力した前記データを出力する第１データ出力部と、
前記第１データ出力部により出力される前の前記データをキャプチャーし、前記１以上
の第２のプロジェクターに対して転送するデータ転送部と、を備え、
前記１以上の第２のプロジェクターは、
前記第１のプロジェクターから転送された前記データを受信するデータ受信部と、
前記データを受信した後、当該データを出力する第２データ出力部と、をそれぞれ備え
、
前記データ出力部は、前記データ転送部により前記データを転送した後、前記データ入
力部から入力された当該データを出力することを特徴とするプロジェクターシステム。
【請求項８】
第１のプロジェクターと、前記第１のプロジェクターに接続された１以上の第２のプロ
ジェクターとを用いたデータ出力方法であって、
前記第１のプロジェクターは、
画像および／または音のデータを入力するデータ入力工程と、
入力した前記データを出力する第１データ出力工程と、
前記第１データ出力工程により出力される前の前記データをキャプチャーし、前記１以
上の第２のプロジェクターに対して転送するデータ転送工程と、を実行し、
前記１以上の第２のプロジェクターは、
前記第１のプロジェクターから転送された前記データを受信するデータ受信工程と、
前記データ受信工程の後、前記データを出力する第２データ出力工程と、をそれぞれ実
行し、
前記第１のデータ出力工程では、前記データ転送工程により前記データを転送した後、
前記データ入力工程によって入力された当該画像データを出力することを特徴とするデー
タ出力方法。
【発明の詳細な説明】
【技術分野】
【０００１】
本発明は、入力された画像や音のデータを出力するプロジェクター、プロジェクターシ
ステムおよびデータ出力方法に関するものである。
【背景技術】
【０００２】
従来、この種のプロジェクターとして、画像データを入力するデータ入力部と、入力し
た画像データを投射する画像データ投射部と、を備えたものが知られている（特許文献１
参照）。このようなプロジェクターは、プレゼンテーション等に用いられるものであって
、ビデオデッキ等の外部装置からの画像データを、データ入力部により入力し、当該画像
データを投射する。
【先行技術文献】
【特許文献】
【０００３】
【特許文献１】特開２００６−２２１０８４号公報
【発明の概要】
【発明が解決しようとする課題】
【０００４】
ところで、複数の会議室や複数の支部等の複数の個所で同じ画像を上映する場合のよう
に、各個所にプロジェクターを設置し、複数の個所で同じ投射画像を共有する投射方法が
求められている。しかしながら、上記のプロジェクターでは、仮に複数台用意したとして
も、複数のプロジェクター間において投射タイミングを合わせることができず、同じ投射
画像を共有することができないという問題があった。これに対し、スイッチャー等の分配
器を用いて、タイミングを合わせて画像データを入力する方法が考えられるが、これでは
、特段の機器を必要とし、プロジェクターシステム全体として複雑な構成となってしまう
。これらは、音声の出力においても同様である。
【０００５】
本発明は、特段の機器を必要とすることなく、複数の個所で同じ出力音声や同じ投射画
像を共有することができるプロジェクター、プロジェクターシステムおよびデータ出力方
法を提供することを課題としている。
【課題を解決するための手段】
【０００６】
本発明のプロジェクターは、画像および／または音のデータを入力するデータ入力部と
、入力したデータを出力するデータ出力部と、データ出力部により出力される前のデータ
をキャプチャーし、１以上の他のプロジェクターに対して転送するデータ転送部と、を備
えるプロジェクターであって、データ出力部は、データ転送部によりデータを転送した後
、データ入力部から入力された当該データを出力することを特徴とする。
【０００７】
本発明のプロジェクターシステムは、第１のプロジェクターと、１以上の第２のプロジ
ェクターと、が接続されたプロジェクターシステムであって、第１のプロジェクターは、
画像および／または音のデータを入力するデータ入力部と、入力したデータを出力する第
１データ出力部と、第１データ出力部により出力される前のデータをキャプチャーし、１
以上の第２のプロジェクターに対して転送するデータ転送部と、を備え、１以上の第２の
プロジェクターは、第１のプロジェクターから転送されたデータを受信するデータ受信部
と、データを受信した後、当該データを出力する第２データ出力部と、をそれぞれ備え、
データ出力部は、データ転送部によりデータを転送した後、データ入力部から入力された
当該データを出力することを特徴とする。
【０００８】
本発明のデータ出力方法は、第１のプロジェクターと、第１のプロジェクターに接続さ
れた１以上の第２のプロジェクターとを用いたデータ出力方法であって、第１のプロジェ
クターは、画像および／または音のデータを入力するデータ入力工程と、入力したデータ
を出力する第１データ出力工程と、第１データ出力工程により出力される前のデータをキ
ャプチャーし、１以上の第２のプロジェクターに対して転送するデータ転送工程と、を実
行し、１以上の第２のプロジェクターは、第１のプロジェクターから転送されたデータを
受信するデータ受信工程と、データ受信工程の後、データを出力する第２データ出力工程
と、をそれぞれ実行し、第１のデータ出力工程では、データ転送工程によりデータを転送
した後、データ入力工程によって入力された当該画像データを出力することを特徴とする
。
【０００９】
これらの構成によれば、１のプロジェクターから他のプロジェクターに出力前のデータ
を転送し、両プロジェクターで当該データを出力するため、特段の機器を必要とすること
なく、同じ出力音声、投射画像を複数個所で共有することができる。特に、ネットワーク
を介してデータを転送することで、離れた拠点において出力音声、投射画像を共有できる
。また、データを転送した後に、データ出力部によりデータ出力を行うため、キャプチャ
ーおよびデータ送信による出力タイミングのタイムラグを抑制することができる。なお、
上記データ出力部やデータ出力工程による画像のデータの出力は、当該データの投射を意
味している。また、画像データのデータ転送方法は、無線通信を用いたものであっても良
いし、有線通信を用いたものであっても良い。なお、ここにいう「キャプチャー」とは、
画像データ（静止画データまたは動画データ）および／または音声データを取り込むこと
を意味する。すなわち、動画データに対しては、フレーム単位で切り出してサンプリング
することにより、キャプチャーを実行する。
【００１０】
上記のプロジェクターにおいて、入力されたデータを一時記憶する一時記憶部を、更に
備え、データ出力部は、一時記憶部に記憶されたデータを、所定の時間だけ遅らせて出力
することが好ましい。
【００１１】
この構成によれば、入力されたデータを一時記憶し、出力タイミングを、所定の時間遅
らせて（シフトさせて）出力することにより、１のプロジェクターと他のプロジェクター
とにおける出力タイミングのタイムラグを少なくすることができる。
【００１２】
この場合、１以上の他のプロジェクターは、プロジェクターからのデータの受信に連動
して、当該データを投射することが好ましい。
【００１３】
この構成によれば、他のプロジェクターは、データ受信に連動して、データ出力を行う
ので、１のプロジェクターと他のプロジェクターとのデータ出力が、データ転送を中心に
連動することになる。そのため、出力音声、投射画像をリアルタイムで共有することがで
きる。
【００１４】
上記のプロジェクターにおいて、データ転送部によるデータの転送の要否を切り替える
ための転送切替部を、更に備えたことが好ましい。
【００１５】
この構成によれば、転送切替部を有することで、ユーザーによって、データの転送の要
否を適宜切り替えることができる。そのため、ユーザーは、本プロジェクター単体で音声
出力、画像投射を行うことと、複数のプロジェクターによって音声出力、画像投射を行う
ことと、を適宜選択することができる。
【００１６】
この場合、データ入力部は、データをアナログ信号によって入力するアナログ信号入力
部と、データをデジタル信号によって入力するデジタル信号入力部と、を含み、アナログ
信号によって入力されたデータを、デジタル信号に変換するデジタル変換部を、更に備え
たことが好ましい。
【００１７】
この構成によれば、デジタル変換部により、アナログ信号によって入力されたデータを
、デジタル信号に変換することができるため、アナログ信号によって入力されたデータを
転送することができる。ゆえに、デジタル信号によって入力されたデータのみならず、ア
ナログ信号によって入力されたデータにおいても、データの共有を実現することができる
。
【００１８】
この場合、データ転送部によるデータの転送前に、当該データを圧縮するデータ圧縮部
を、更に備えることが好ましい。
【００１９】
この構成によれば、データを圧縮して転送することで、データ転送速度を向上すること
ができる。また、データ出力部は、データがキャプチャー、圧縮、および転送された後に
、当該データを出力するため、出力タイミングによるタイムラグをより少なくすることが
できる。
【図面の簡単な説明】
【００２０】
【図１】実施形態に係るプロジェクターシステムの構成を示すブロック図である。
【図２】プロジェクターシステムにおける画像投射動作を示すフローチャートである。
【図３】プロジェクターシステムにおける音声出力動作を示すフローチャートである。
【発明を実施するための形態】
【００２１】
以下、添付図面を参照し、本発明のプロジェクターを用いたプロジェクターシステムに
ついて説明する。図１に示すように、プロジェクターシステム１は、メインプロジェクタ
ー（プロジェクター、第１のプロジェクター）２と、ネットワークＮＷを介してメインプ
ロジェクター２に接続された複数のサブプロジェクター（他のプロジェクター、第２のプ
ロジェクター）３とを備えている。本プロジェクターシステム１は、メインプロジェクタ
ー２に投射する画像データを各サブプロジェクター３に転送することで、投射画像を共有
する構成を有している。メインプロジェクター２と各サブプロジェクター３とは、それぞ
れ異なる拠点に配置されており、例えば、メインプロジェクター２を東京の拠点に配置し
、１つ目のサブプロジェクター３を大阪の拠点に、２つ目のサブプロジェクター３を名古
屋の拠点に配置する。なお、図示省略するが、各プロジェクター２、３とネットワークＮ
Ｗとの接続は、アクセスポイントを介した無線通信によって行われる。
【００２２】
メインプロジェクター２は、音声データ入力部（データ入力部）１１と、音声データ処
理部（デジタル変換部）１２と、音声データ一時記憶部（一時記憶部）１３と、スピーカ
ー（データ出力部、第１データ出力部）１４と、画像データ入力部（データ入力部）１５
と、画像データ処理部（デジタル変換部）１６と、画像データ一時記憶部（一時記憶部）
１７と、ライトバルブ駆動部１８と、ランプ駆動部１９と、投射光学部２０と、操作部２
１と、モード決定部２６と、音声データ転送部（データ転送部）２２と、音声データ圧縮
部（データ圧縮部）２３と、画像データ転送部（データ転送部）２４と、画像データ圧縮
部（データ圧縮部）２５と、これらを制御する制御部２７と、制御に用いる各種データを
記憶する記憶部２８と、を備えている。
【００２３】
音声データ入力部１１は、外部機器からの各種音声データを入力するものであって、ア
ナログ信号によって音声データを入力するアナログ信号音声入力部（アナログ信号入力部
）１１ａと、デジタル信号によって音声データを入力するデジタル信号音声入力部（デジ
タル信号入力部）１１ｂと、を含んでいる。すなわち、アナログ信号によって入力される
デジタル信号の音声データと、デジタル信号によって入力されるアナログ信号の音声デー
タと、を入力可能に構成されている。具体的には、音声データ入力部１１は、パーソナル
コンピューターやＣＤプレーヤー、マイク、ＵＳＢメモリーなどの外部機器から、アナロ
グ信号もしくはデジタル信号の各種音声データを入力するためのものであって、ＡＶ端子
やＵＳＢ端子等の複数の音声入力端子Ｔ１、Ｔ２、Ｔ３から成る。
【００２４】
音声データ処理部１２は、入力した音声データに対し、出力特性を調整するための処理
を施す。また、音声データ処理部１２は、アナログ信号の音声データを、デジタル信号の
音声データに変換する。
【００２５】
音声データ一時記憶部１３は、処理後の音声データを一時的に記憶する。アナログ信号
の音声データは、デジタル信号の音声データに変換されているため、ここでは、デジタル
信号の音声データを記憶する。
【００２６】
スピーカー１４は、処理後の音声データもしくは音声データ一時記憶部１３に記憶され
た音声データに基づく音声を出力する。詳細は後述するが、「共有モード」においては、
処理後の音声データを音声データ一時記憶部１３に一時記憶すると共に、音声データ一時
記憶部１３上の音声データを、サブプロジェクター３に転送した後に、当該音声出力を実
行する。なお、スピーカー１４に加え、音声出力機器に接続するための音声出力端子を有
し、スピーカー１４および音声出力機器から、選択的に音声を出力するものであっても良
い。
【００２７】
画像データ入力部１５は、外部機器からの各種画像データを入力するものであって、ア
ナログ信号によって画像データを入力するアナログ画像入力部（アナログ信号入力部）１
５ａと、デジタル信号によって画像データを入力するデジタル画像入力部（デジタル信号
入力部）１５ｂと、を含んでいる。すなわち、アナログ信号によって入力されるアナログ
信号の画像データと、デジタル信号によって入力されるデジタル信号の画像データと、を
入力可能に構成されている。具体的には、画像データ入力部１５は、パーソナルコンピュ
ーターやビデオプレーヤー、書画カメラ、ＵＳＢメモリーなどの外部機器から、各種画像
データを入力するためのものであって、ＡＶ端子やＵＳＢ端子等の複数の画像入力端子Ｔ
４、Ｔ５、Ｔ６から成る。なお、音声データ入力部１１と画像データ入力部１５とを、共
通の入力端子で構成するものであっても良い。
【００２８】
画像データ処理部１６は、入力された画像データに対し、所定の画像処理を施す。具体
的には、キーストーン歪補正処理、画質調整処理、画像サイズ調整処理、ガンマ補正処理
、画像合成（重畳）処理等を行う。また、画像データ処理部１６は、アナログ信号の画像
データを、デジタル信号の画像データに変換する。
【００２９】
画像データ一時記憶部１７は、処理後の画像データを一時的に記憶する。アナログ信号
の画像データは、デジタル信号の画像データに変換されているため、ここでは、デジタル
信号の画像データを記憶する。
【００３０】
ライトバルブ駆動部１８は、液晶ドライバーであり、後述の液晶ライトバルブ３２の各
画素に、画像データ一時記憶部１７上の画像データに応じた駆動電圧を印加することによ
り、各画素の光透過率を設定する。
【００３１】
ランプ駆動部１９は、放電発光型のランプである後述の光源ランプ３１を点灯するため
に高電圧を発生して放電回路を形成するイグナイタ部と、点灯後の安定した点灯状態を維
持するためのバラスト回路と、を有している（いずれも図示省略）。なお、光源ランプ３
１としては、超高圧水銀ランプ、メタルハライドランプ、キセノンランプ等を採用可能で
ある。また、これら放電発光型のランプに限らず、発光ダイオード、有機ＥＬ素子、シリ
コン発光素子等の各種自己発光素子を採用しても良い。
【００３２】
投射光学部２０は、スクリーンＳＣ上に、画像を投射表示するものであり、光源ランプ
３１と、３原色に対応した３つの液晶ライトバルブ３２と、投射レンズ３３と、を有する
。各液晶ライトバルブ３２は、一対の透明基板間に液晶が封入された液晶パネル等によっ
て構成される。各透明基板の内面には、液晶に対して微小領域毎に駆動電圧を印加可能な
透明電極（画素）がマトリクス状に形成されている。
【００３３】
光源ランプ３１から射出された照明光は、不図示の光分離光学系によって、Ｒ，Ｇ，Ｂ
の色光に分離された後、各色用の液晶ライトバルブ３２を透過することによって、画像デ
ータに応じた光変調がなされる。また、変調された画像光は、不図示の光合成光学系（ダ
イクロイックプリズムなど）により画素毎に合成されてカラー画像化され、当該カラー画
像化された画像光が投射レンズ３３によって投射されることにより、スクリーンＳＣ上に
投射画像が表示される。すなわち、ライトバルブ駆動部１８、ランプ駆動部１９および投
射光学部２０（データ出力部、第１データ出力部）によって、画像データを、スクリーン
ＳＣに投射する。
【００３４】
操作部２１は、ユーザーが各種設定および操作を行うためのものであり、メインプロジ
ェクター２本体に備えられた操作パネルやリモコン（いずれも図示省略）により構成され
る。操作部２１には、メインプロジェクター２のモードを、「単体モード」と、「共有モ
ード」との間で切り替えるモード切替スイッチ３４が含まれている。「単体モード」は、
メインプロジェクター２単体で画像データを投射し、且つメインプロジェクター２単体で
音声データに基づく音声を出力するモードである。一方、「共有モード」は、メインプロ
ジェクター２によって投射する画像データおよび出力する音声データを、複数のサブプロ
ジェクター３に転送し、投射画像および出力音声を共有するモードである。すなわち、こ
のモード切替スイッチ３４によって、音声データの転送および画像データの転送の要否を
切り替える（転送切替部）。
【００３５】
モード決定部２６は、モード切替スイッチ３４の操作に伴って、モードを選択的に決定
する。すなわち、モード切替スイッチ３４の操作に応じて、モードを、「単体モード」と
「共有モード」との間で切り替えて決定する。
【００３６】
音声データ転送部２２は、ネットワークインターフェース２２ａを有し、「共有モード
」の際、音声データ一時記憶部１３に記憶された出力前の音声データを、キャプチャーし
て音声データ一時記憶部１３に一時記憶すると共に、一時記憶した音声データを複数のサ
ブプロジェクター３に対して転送する。音声データ圧縮部２３は、音声データの転送の前
に、当該音声データを圧縮する。すなわち、音声データ転送部２２は、圧縮した音声デー
タをサブプロジェクター３に転送する。なお、ここにいう「キャプチャー」とは、出力前
のデータ（音声データや画像データ）を一時記憶部（音声データ一時記憶部１３や画像デ
ータ一時記憶部１７）に取り込むことである。
【００３７】
画像データ転送部２４は、ネットワークインターフェース２４ａを有し、「共有モード
」の際、画像データ一時記憶部１７に記憶された投射前の画像データを、キャプチャーし
て画像データ一時記憶部１７に記憶すると共に、一時記憶した画像データを複数のサブプ
ロジェクター３に対して転送する。画像データ圧縮部２５は、画像データの転送の前に、
当該画像データを圧縮する。すなわち、画像データ転送部２４は、圧縮した画像データを
サブプロジェクター３に転送する。なお、共通のデータ転送部によって、音声データ転送
部２２と画像データ転送部２４とを機能させ、音声データと画像データとを関連付けて転
送するものであっても良い。すなわち、音声データと画像データとの同期を取るため、音
声データと画像データとを対応付けて転送するものである。また、データ転送部（音声デ
ータ転送部２２および／または画像データ転送部２４）は、ネットワークインターフェー
ス２２ａ、２４ａとして、例えばＩＥＥＥ８０２．１１ａ、ＩＥＥＥ８０２．１１ｂ、ま
たはＩＥＥＥ８０２．１１ｇの何れかの無線ＬＡＮ規格に対応した無線ＬＡＮ、有線式の
ＬＡＮを用いても良く、かかる場合、サブプロジェクター３のネットワークインターフェ
ース４１ａ、４４ａを介してサブプロジェクター３との間で各種のデータを送受信する。
【００３８】
サブプロジェクター３は、音声データ受信部（データ受信部）４１と、音声データ解凍
部４２と、音声データ処理部５１と、スピーカー（第２データ出力部）４３と、画像デー
タ受信部（データ受信部）４４と、画像データ解凍部４５と、画像データ処理部５２と、
ライトバルブ駆動部４６と、ランプ駆動部４７と、投射光学部４８と、これらを制御する
制御部４９と、制御に用いる各種データを記憶する記憶部５０と、を備えている。なお、
スピーカー４３と、ライトバルブ駆動部４６、ランプ駆動部４７および投射光学部４８（
第２データ出力部）とについては、メインプロジェクター２の各部と同様の構成を有して
いるため、ここでは詳細な説明を省略する。
【００３９】
音声データ受信部４１は、ネットワークインターフェース４１ａを有し、メインプロジ
ェクター２から転送された音声データを受信する。音声データ解凍部４２は、受信した圧
縮状態の音声データを解凍する。音声データ処理部５１は、解凍した音声データの出力特
性を調整するための処理を施す。スピーカー４３は、処理後の音声データに基づく音声を
出力する。
【００４０】
画像データ受信部４４は、ネットワークインターフェース４４ａを有し、メインプロジ
ェクター２から転送された音声データを受信する。画像データ解凍部４５は、受信した圧
縮状態の音声データを解凍する。画像データ処理部５２は、解凍した画像データに対し、
サブプロジェクター３の投射特性に合わせた画像処理を施す。ライトバルブ駆動部４６、
ランプ駆動部４７および投射光学部４８は、処理後の画像データを、スクリーンＳＣに投
射する。
【００４１】
次に図２を参照して、プロジェクターシステム１の画像投射動作について説明する。本
画像投射動作は、メインプロジェクター２の画像データ入力部１５によって、外部機器か
ら画像データを入力したことに起因して行なわれるものである。また、モード決定部２６
によって予めモードが決定されているものとする。
【００４２】
図２に示すように、メインプロジェクター２は、画像データが入力されると（データ入
力工程）（Ｓ１：Ｙｅｓ）、画像データ処理部１６により、当該画像データに対しデータ
処理を行う（Ｓ２）。具体的には、アナログ信号の画像データをデジタル信号の画像デー
タに変換すると共に、上記所定の画像処理を施す。
【００４３】
データ処理を施したら、メインプロジェクター２のモードを判別する（Ｓ３）。その結
果、モードが、「単体モード」であると判定された場合（Ｓ４：Ａ）には、ライトバルブ
駆動部１８、ランプ駆動部１９および投射光学部２０により、処理後の画像データを、ス
クリーンＳＣに投射する（Ｓ５）。これにより、本画像投射動作を終了する。
【００４４】
これに対し、モードが、「共有モード」であると判定された場合（Ｓ４：Ｂ）には、処
理後の画像データをキャプチャーして、画像データ一時記憶部１７に一時記憶する（Ｓ６
）。その後、画像データ一時記憶部１７に記憶された画像データを、画像データ圧縮部２
５により圧縮する（Ｓ７）と共に、画像データ転送部２４により、当該画像データを複数
のサブプロジェクター３に転送する（データ転送工程）（Ｓ８）。また、画像データの転
送の後、当該画像データの転送に連動して、ライトバルブ駆動部１８、ランプ駆動部１９
および投射光学部２０により、画像データ一時記憶部１７に記憶された画像データを、ス
クリーンＳＣに投射する（第１データ出力工程）（Ｓ９）。
【００４５】
一方、各サブプロジェクター３は、画像データ受信部４４により、メインプロジェクタ
ー２からの画像データを受信すると（データ受信工程）（Ｓ１０：Ｙｅｓ）、その直後に
、画像データ解凍部４５により、当該画像データを解凍する（Ｓ１１）と共に、画像デー
タ処理部５２により、解凍した画像データに対しデータ処理を施す（Ｓ１２）。その後、
ライトバルブ駆動部４６、ランプ駆動部４７および投射光学部４８により、処理後の画像
データをスクリーンＳＣに投射する（第２データ出力工程）（Ｓ１３）。これによって、
本画像投射動作を終了する。このように、メインプロジェクター２からの画像データの受
信に連動して、画像データを投射する。すなわち、画像データの転送に起因して、メイン
プロジェクター２および各サブプロジェクター３による画像投射を行うことにより、各サ
ブプロジェクター３は、メインプロジェクター２の当該画像データの投射に連動して（略
同時に）、当該画像データを投射する。
【００４６】
次に図３を参照して、プロジェクターシステム１の音声出力動作について説明する。本
音声出力動作は、メインプロジェクター２の音声データ入力部１１によって、外部機器か
ら音声データを入力したことに起因して行なわれるものである。また、モード決定部２６
によって予めモードが決定されているものとする。
【００４７】
図３に示すように、メインプロジェクター２は、音声データが入力されると（データ入
力工程）（Ｓ２１：Ｙｅｓ）、音声データ処理部１２により、当該音声データに対しデー
タ処理を行う（Ｓ２２）。具体的には、アナログ信号の音声データをデジタル信号の音声
データに変換すると共に、出力特性を調整するための処理を施す。
【００４８】
データ処理を施したら、メインプロジェクター２のモードを判別する（Ｓ２３）。その
結果、モードが、「単体モード」であると判定された場合（Ｓ２４：Ａ）には、スピーカ
ー１４により、処理後の音声データに基づく音声を出力する（Ｓ２５）。これにより、本
音声出力動作を終了する。
【００４９】
これに対し、モードが、「共有モード」であると判定された場合（Ｓ２４：Ｂ）には、
処理後の音声データをキャプチャーして、音声データ一時記憶部１３に一時記憶する（Ｓ
２６）。その後、音声データ一時記憶部１３に記憶された音声データを、音声データ圧縮
部２５により圧縮する（Ｓ２７）と共に、音声データ転送部２２により、当該音声データ
を複数のサブプロジェクター３に転送する（データ転送工程）（Ｓ２８）。また、音声デ
ータの転送の後、当該音声データの転送に連動して、スピーカー１４により、音声データ
一時記憶部１３に記憶された音声データに基づく音声を出力する（第１データ出力工程）
（Ｓ２９）。
【００５０】
一方、各サブプロジェクター３は、音声データ受信部４１により、メインプロジェクタ
ー２からの音声データを受信すると（データ受信工程）（Ｓ３０：Ｙｅｓ）、その直後に
、音声データ解凍部４２により、当該音声データを解凍する（Ｓ３１）と共に、音声デー
タ処理部５１により、解凍した音声データに対しデータ処理を施す（Ｓ３２）。その後、
スピーカー４３により、処理後の音声データに基づく音声を出力する（第２データ出力工
程）（Ｓ３３）。これによって、本音声出力動作を終了する。このように、メインプロジ
ェクター２からの音声データの受信に連動して音声データを出力する。すなわち、音声デ
ータの転送に起因して、メインプロジェクター２および各サブプロジェクター３による音
声出力を行うことにより、各サブプロジェクター３は、メインプロジェクター２の当該音
声データに基づく音声出力に連動して（略同時に）、当該音声データに基づく音声出力を
行う。
【００５１】
以上のような構成によれば、メインプロジェクター２から複数のサブプロジェクター３
に投射前の画像データや出力前の音声データを転送し、全プロジェクター２、３により当
該データを投射、出力するため、特段の機器を必要とすることなく、同じ出力音声、投射
画像を複数個所で共有することができる。特に、ネットワークＮＷを介して画像データを
転送することで、離れた拠点において投射画像を共有できる。また、画像データを転送し
た後に、音声データの出力や画像データの投射を行うため、キャプチャーおよびデータ送
信による出力タイミングのタイムラグを抑制することができる。
【００５２】
また、各サブプロジェクターにて、データ受信に連動して、データ出力を行うことによ
り、１のプロジェクターと他のプロジェクターとのデータ出力が、データ転送を中心に連
動することになるため、出力音声、投射画像をリアルタイムで共有することができる。
【００５３】
さらに、データ（音声データおよび画像データ）の転送の要否を切り替えるためのモー
ド切替スイッチ３４を有することで、ユーザーによって、データの転送の要否を適宜切り
替えることができる。そのため、ユーザーは、本メインプロジェクター２単体で出力、投
射を行うことと、複数のプロジェクター２、３によって出力、投射を行うことと、を適宜
選択することができる。
【００５４】
またさらに、音声データ処理部１２や画像データ処理部１６により、アナログ信号によ
って入力されたデータ（音声データおよび画像データ）を、デジタル信号に変換すること
ができるため、アナログ信号によって入力されたデータを転送することができる。ゆえに
、デジタル信号によって入力されたデータのみならず、アナログ信号によって入力された
データにおいても、データの共有を実現することができる。
【００５５】
またさらに、データ圧縮部（音声データ圧縮部２３および画像データ圧縮部２５）によ
り、データを圧縮して転送することで、データ転送速度を向上することができる。
【００５６】
なお、本実施形態においては、音声出力動作と画像投射動作とを別々に記載したが、音
声データと画像データとを同時に入力する場合には、音声出力動作と画像投射動作とを同
期して実施し、画像投射と音声出力とを同期して行う構成であっても良い。例えば、動画
の１フレーム単位の画像データと、これに対応する区間の音声データとを関連付けて転送
、および投射、出力する構成とする。
【００５７】
また、本実施形態においては、メインプロジェクター２から一方的に画像データを転送
し、メインプロジェクター２に入力された画像データを連動投射するものであったが、メ
インプロジェクター２にサブプロジェクター３の機能を搭載し、且つサブプロジェクター
３にメインプロジェクター２の機能を搭載することで、相互に画像データを転送し、各プ
ロジェクター２、３に入力された画像データを連動投射する構成であっても良い。
【００５８】
さらに、本実施形態においては、メインプロジェクター２において画像データに対し上
記所定の画像処理を行った後に、当該画像データをサブプロジェクター３に転送する構成
であったが、画像処理を行わずに画像データを転送し、各プロジェクター２、３において
上記所定の画像処理を施すものであっても良い。
【００５９】
なお、本実施形態においては、サブプロジェクター３を複数有する構成としたが、サブ
プロジェクター３を１台だけ有する構成であっても良い。
【００６０】
また、本実施形態においては、メインプロジェクター２とサブプロジェクター３とをネ
ットワークＮＷを介して接続したが、メインプロジェクター２およびサブプロジェクター
３をケーブルによって直接接続する構成であっても良い。
【００６１】
なお、上記実施形態では、メインプロジェクター２とサブプロジェクター３との出力タ
イミング（画像データの投射タイミングおよび音声データの出力タイミング）に、タイム
ラグ（時間ズレ）が生じてしまう。すなわち、データ送信後に出力するメインプロジェク
ター２と、データを受信し、解凍処理およびデータ処理を施した後に出力するサブプロジ
ェクター３とでは、データ転送による転送時間や、解凍処理およびデータ処理の処理時間
に起因するタイムラグが生じてしまう。これに対し、出力タイミングの差を緩和するよう
に、メインプロジェクター２の出力タイミングを遅らせて（シフトさせて）出力する構成
であっても良い。具体的には、実験で得られた当該タイムラグの平均時間（所定の時間）
を記憶しておくと共に、データ処理後のデータ（音声データおよび画像データ）を一時記
憶部（音声データ一時記憶部１３および画像データ一時記憶部１７）に一時記憶し、上記
タイムラグの平均時間分遅らせて、データを出力する。この構成によれば、両プロジェク
ター２、３における出力タイミングのタイムラグを少なくすることができる。
【００６２】
さらに、メインプロジェクター２と各サブプロジェクター３とのデータ出力を同期させ
る構成であっても良い。例えば、複数のサブプロジェクター３では、その性能や配置拠点
によって、上記タイムラグに差が生じる。これに対し、複数のサブプロジェクター３にお
ける上記タイムラグの差を、データテーブルとして記憶し、当該データテーブルに基づい
て、メインプロジェクター２から各サブプロジェクター３にデータを転送（送信）するタ
イミングに差をつける。すなわち、タイムラグが長いサブプロジェクター３には、早いタ
イミングでデータ転送を行い、タイムラグが短いサブプロジェクター３には、遅いタイミ
ングでデータ転送を行う。各サブプロジェクター３は、データの受信に連動して、データ
出力を実施するため、これによって、全サブプロジェクター３の出力タイミングを同期さ
せることができる。この出力タイミングに、メインプロジェクター２の出力タイミングを
合わせることで、メインプロジェクター２と各サブプロジェクター３とのデータ出力を同
期させる。
【００６３】
また、メインプロジェクター２と各サブプロジェクター３の投射タイミングを同期する
方法は、これに限らず、例えば、メインプロジェクター２から、データ（音声データおよ
び画像データ）に関連付けて出力予定時刻を、各サブプロジェクター３に送信し、両プロ
ジェクター２、３にて出力予定時刻に合わせて、データ出力を行う構成であっても良い。
なお、出力予定時間は、複数のサブプロジェクター３における最大のタイムラグを越える
時間とする。
【符号の説明】
【００６４】
１：プロジェクターシステム、  ２：メインプロジェクター、  ３：サブプロジェクタ
ー、  １１：音声データ入力部、  １１ａ：アナログ音声入力部、  １１ｂ：デジタル信
号入力部、  １２：音声データ処理部、  １３：音声データ一時記憶部、  １４：スピー
カー、  １５：画像データ入力部、  １５ａ：アナログ画像入力部、  １５ｂ：デジタル
画像入力部、  １７：画像データ一時記憶部、  １８：ライトバルブ駆動部、  １９：ラ
ンプ駆動部、  ２０：投射光学部、  ２２：音声データ転送部、  ２３：音声データ圧縮
部、  ２４：画像データ転送部、  ２５：画像データ圧縮部、  ３４：モード切替スイッ
チ、  ４１：音声データ受信部、  ４３：スピーカー、  ４４：画像データ受信部、  ４
６：ライトバルブ駆動部、  ４７：ランプ駆動部、  ４８：投射光学部
【図１】
2011205523.tif 000003
【図２】
2011205523.tif 000004
【図３】
2011205523.tif 000005